(57)【要約】【課題】良好な中低音域の音響特性を確保するために比較的大径のイヤホンドライバーを用いることを可能にしながら、外耳道への音響管の密着性、安定性が良好なイヤホンを得る。【解決手段】イヤホンドライバー２を内蔵したハウジング１と、ハウジング１から延び出た音導管３と、音導管３の先端部に取り付けられたイヤーピース４と、を備え、音導管３は、その中心軸線Ｏ２がハウジング１の前面中心からずれた位置からかつハウジング１の前面中心に対し傾斜して延び出るとともに、途中からハウジング１の前面に直交する方向の線Ｏ１に対する傾き角度が小さくなるように屈曲している。【選択図】図２
2011009909.tif 000002
【特許請求の範囲】
【請求項１】
イヤホンドライバーを内蔵したハウジングと、ハウジングから延び出た音導管と、音導管の先端部に取り付けられたイヤーピースと、を備え、
上記音導管は、その中心軸線が上記ハウジングの前面中心からずれた位置からかつ上記ハウジングの前面中心に対し傾斜して延び出るとともに、途中から上記ハウジングの前面に直交する方向の線に対する傾き角度が小さくなるように屈曲しているイヤホン。
【請求項２】
イヤホンドライバーはその放音面がハウジングの前面に正対して内蔵され、音導管は、その中心軸線が上記イヤホンドライバーの前面中心からずれた位置からかつ上記イヤホンドライバーの前面中心に対し傾斜して延び出るとともに、途中から上記イヤホンドライバーの中心軸線に対する傾き角度が小さくなるように屈曲している請求項１記載のイヤホン。
【請求項３】
音導管の屈曲部は、ハウジングに音導管が接する位置から３〜８ｍｍの範囲にある請求項１記載のイヤホン。
【請求項４】
音導管の屈曲部より先端側は、ハウジングの前面に直交する方向の線に対する傾き角度が０〜５０°である請求項１記載のイヤホン。
【請求項５】
音導管の屈曲部は蛇腹構造になっていて、この蛇腹構造部において基端側音導管と先端側音導管のなす角度を変更可能である請求項１記載のイヤホン。
【請求項６】
音導管の屈曲部より先端側は、柔軟性のある素材からなる請求項１記載のイヤホン。
【請求項７】
音導管は、基端側音導管とこの基端側音導管に接合された先端側音導管を有してなり、基端側音導管と先端側音導管の接合部が屈曲部になっている請求項１記載のイヤホン。
【請求項８】
使用態様を基準姿勢とするとき、この基準姿勢において、音導管の屈曲部は、基端側音導管と先端側音導管を水平面内において屈曲している請求項１乃至８のいずれかに記載のイヤホン。
【請求項９】
基端側音導管の外径よりも先端側音導管の外径が小さい請求項１乃至９のいずれかに記載のイヤホン。
【発明の詳細な説明】
【技術分野】
【０００１】
本発明は、イヤホンドライバーを内蔵したハウジングと、このハウジングから突出していて使用者の外耳道に挿入される音導管を備えた密閉型のイヤホンに関するもので、特に、使用時の密閉性、安定性および音響特性の向上を図ったものである。
【背景技術】
【０００２】
耳挿入型の密閉型のイヤホンはカナル型イヤホン、あるいは、カナル型ヘッドホンといわれる。このようなイヤホンは使用者の耳に挿入されて使用されるものであるため、ここでは「イヤホン」として説明する。耳挿入型の密閉型イヤホン（以下「カナル型イヤホン」という）は、使用者の外耳道に挿入される音導管がイヤホンドライバーを内蔵したハウジングから突出している。従来のカナル型ヘッドホンにおける音導管は、イヤホンドライバーの中心近くのハウジング前面から直線的に延び出ていて、音導管の先端部に装着されている柔軟なイヤーピースのみが外耳道の周壁に密着することにより使用者の耳に装着されるようになっている。
【０００３】
イヤホンは、イヤホンドライバーの径が大きいほど、また、イヤホンドライバーを内蔵するハウジングの内部容積が大きいほど、中低音域の音響特性が良好になる。しかしながら、上記カナル型イヤホンによれば、音導管を外耳道の奥深くまで挿入して外耳道入口を密閉状態にするためには、イヤホンドライバーの直径を１０．５ｍｍ以下にしなければならず、中低音域の音響特性改善の障害となっていた。仮に、イヤホンドライバーの直径を例えば１２．５ｍｍ以上というように大きくすると、このドライバーを内蔵するハウジングが大きくなり、これに加えて、人の耳の構造上、ハウジングの部分を挿入する耳甲介と外耳道入口の中心位置がずれているため、ハウジングが耳甲介からはみ出し、使用者の耳に装着することができなくなる。
【０００４】
そこで、従来のカナル型イヤホンは、音導管を、イヤホンドライバーまたはこれを内蔵するハウジングの中心からずらした位置から突出させ、さらに、斜め方向に直線的に突出させている。このような構成にすることにより、耳の構造に適合した形になり、装着しやすいカナル型イヤホンを得ることができるとともに、より大径のイヤホンドライバーを使用することができ、中低音域の音響特性を改善することができる。
【０００５】
本発明に係るカナル型イヤホンに関連する技術を開示した特許文献として以下のものを挙げることができる。特許文献１には、使用者の外耳道に挿入する管状の挿入部と、スピーカユニット（イヤホンドライバー）の収納ケースと、挿入部の先端側に配置されたイヤーピースとを備え、上記収納ケースは使用者の耳介の外側でスピーカユニットを収納するように構成され、スピーカユニットの径および上記収納ケースの径は上記挿入部の外径よりも大きく拡張してなるヘッドホンが記載されている。そして、上記挿入部は、長さ方向の途中で屈曲できるように構成されている。
【０００６】
特許文献２には、ハウジングとハウジングの前面に突設された音導管とを備え、音導管がハウジング前部中点より外側に配置され、音導管先端部がハウジング前部中点より離れる方向に直線的に向けられてなるイヤホン装置が記載されている。上記音導管は使用者の外耳道に挿入され、ハウジングは耳甲介腔内に挿入されるようになっている。
【０００７】
特許文献３には、音響管とイヤホンユニットを備え、音響管は、管本体とこの管本体に折り曲げ部を介して連設された耳介挿入部を有してなり、上記管本体の一端部はイヤホンユニットを収納するハウジングに連接し、上記管本体はまた、上記耳介挿入部が連設される側と反対側の開口が耳介の上方を向くようにＵ字状に曲げられてなるイヤホン装置が記載されている。音響管の管本体を長尺にすることによって、小型化を狙ったものである。上記耳介挿入部は、使用者が耳に装着している姿勢を基準にしたとき、上記折り曲げ部からほぼ水平方向に延び出た後、所定角度上方に向かって屈曲している。
【先行技術文献】
【特許文献】
【０００８】
【特許文献１】特開２００７−１３４８１５号公報
【特許文献２】特開２００７−１８９４６８号公報
【特許文献３】特許第３８８２２１１号公報
【０００９】
特許文献１記載の発明は、スピーカユニット（本明細書では「イヤホンドライバー」という）およびその収納ケースの径を大きくして中低音域の音響特性を改善するこができる。その分、ドライバーの部分の重量が大きくなるが、使用時は、管状の挿入部の先端に装着されたイヤーピースが使用者の外耳道に密着することにより、また、補助的に上記収納ケースが耳介に接することによってイヤホンを支えるのみであるから、イヤホンの装着状態を安定的に保持することが難しい。
【００１０】
特許文献２記載の発明は、音導管がハウジング前部中点より外側に配置され、音導管先端部がハウジング前部中点より離れる方向に直線的に向けられているため、ハウジング部を耳甲介腔内に挿入した状態で音導管を外耳道に挿入することができ、小型で、比較的安定した装着状態を保持することができる。しかし、人の外耳道は直線的に延びているものではなく、途中で屈曲しているため、音導管先端部がハウジング前部中点より離れる方向に直線的に延ばしただけでは、イヤホンの装着状態を安定的に保持することが難しく、改良の余地がある。
【００１１】
特許文献３記載の発明は、音響管の管本体を数か所で折り曲げることにより長尺にし、これによって、音響特性の改善と小型化を狙ったものである。しかし、イヤホンドライバーを大径化するには不向きな構造になっていて、中低音域の音響特性の改善は難しい。また、耳介挿入部は、使用者が耳に装着している姿勢を基準にしたとき、外耳道に挿入される音響管の一部を所定角度上方に向かって屈曲しているが、この屈曲部を設けることによって外耳道との密着性を良好にするというよりも、外耳道への引っ掛かりをいくらかよくする程度の効果しか期待することはできない。
【発明の概要】
【発明が解決しようとする課題】
【００１２】
人の外耳道は、その入口から約５ｍｍの深さの位置に屈曲部があって、手前側と奥側では向きが変わっている。また、この屈曲部より奥の内径は小さくなっている。したがって、特許文献２記載のイヤホンのように、音響管が直線状に延び出ているものは、外耳道への音響管の密着性、安定した装着性を得ることができない。特許文献３記載のイヤホンのように、音響管の外耳道挿入部を上方に向かって屈曲させてもやはり、外耳道への音響管の密着性、安定した装着性を得ることができない。
【００１３】
特許文献１記載のヘッドホンによれば、外耳道への挿入部は、長さ方向の途中で屈曲できるようになっているため、外耳道への音響管の密着性は確保できるが、ドライバーの部分は耳介外にあって大径にすることを狙っているため、全体の荷重がかかることによって、安定した装着状態を維持することが難しく、改良の余地がある。
【００１４】
また、人の外耳道の形状は様々で、途中で急激に狭まっている、あるいは急激に屈曲しているなどの理由によって出来ている壁面に、音響管の先端が当たり、音響管の先端が塞がれ、音が使用者の鼓膜に良好に届かないといった問題も生じる。特に、特許文献２記載の発明のように音響管が直線状に延び出たもの、あるいは、特許文献３記載の発明のように音響管の先端付近が上方に向かって屈曲したものにおいては上記の問題が生じやすい。
【００１５】
本発明は、以上説明した従来技術の問題点を解消すること、すなわち、良好な中低音域の音響特性を確保するために比較的大径のイヤホンドライバーを用いることを可能にしながら、使用状態における外耳道への音響管の密着性、安定した装着性を得ることができ、また、音響管の先端が外耳道の壁面などで塞がれることがないようにしたイヤホンを提供することを目的とする。
【課題を解決するための手段】
【００１６】
本発明に係るイヤホンは、イヤホンドライバーを内蔵したハウジングと、ハウジングから延び出た音導管と、音導管の先端部に取り付けられたイヤーピースと、を備え、上記音導管は、その中心軸線が上記ハウジングの前面中心からずれた位置からかつ上記ハウジングの前面中心に対し傾斜して延び出るとともに、途中から上記ハウジングの前面に直交する方向の線に対する傾き角度が小さくなるように屈曲していることを最も主要な特徴とする。
【００１７】
本発明に係るイヤホンは、イヤホンドライバーはその放音面がハウジングの前面に正対して内蔵され、音導管は、その中心軸線が上記イヤホンドライバーの前面中心からずれた位置からかつ上記イヤホンドライバーの前面中心に対し傾斜して延び出るとともに、途中から上記イヤホンドライバーの中心軸線に対する傾き角度が小さくなるように屈曲しているものであってもよい。
【００１８】
本発明は、音導管の屈曲部が、ハウジングに音導管が接する位置から３〜８ｍｍの範囲にあるものであればなおよい。
本発明は、音導管の屈曲部より先端側は、ハウジングの前面に直交する方向の線に対する傾き角度が０〜５０°であるものであればなおよい。また、外耳道形状により−２０〜５０°であってもよい。
そのほか、各請求項に記載した各発明の技術的思想を逸脱しない範囲で任意に設計変更可能である。
【発明の効果】
【００１９】
音導管は、その中心軸線が、イヤホンドライバーを内蔵したハウジングの前面中心からずれた位置からかつ上記ハウジングの前面中心に対し傾斜して延び出るため、イヤホンドライバーおよびハウジングを比較的大きくしても、このハウジングを使用者の耳甲介内に挿入した状態で音響管を外耳道に挿入することができ、さらに、音響管は、途中からハウジングの前面に直交する方向の線に対する傾き角度が小さくなるように屈曲しているため、人の外耳道の形状に適合した形をしており、使用時の密着性と、安定した装着性を確保することができる。したがって、中低音域の音響特性の改善と、使用時の装着性、密着性を両立することができる。
【図面の簡単な説明】
【００２０】
【図１】本発明に係るイヤホンの実施例を示す外観正面図である。
【図２】図１中の線Ａ−Ａに沿う断面図である。
【図３】上記実施例の右側面図である。
【図４】上記実施例の使用態様を示す平面断面図である。
【図５】本発明に係るイヤホンの別の実施例を簡略化して示す平面断面図である。
【図６】本発明に係るイヤホンのさらに別の実施例を簡略化して示す平面断面図である。
【図７】本発明に係るイヤホンの別のさらに実施例を簡略化して示す平面断面図である。
【発明を実施するための形態】
【００２１】
以下、本発明に係るイヤホンの各種実施例について図面を参照しながら説明する。
【実施例１】
【００２２】
図１乃至図３において、符号１はイヤホンのハウジングを示しており、前側ハウジング１１と後ろ側ハウジング１２を接合することにより構成されている。ハウジング１の内部には空間が形成されていて、この内部空間にはイヤホンドライバー２が内蔵されている。イヤホンドライバー２はドライバーユニットとも言われ、周知のスピーカの構造と同じである。すなわち、例えば、バッフル板などに固定されたヨーク、マグネット、ポールピースなどからなる磁気回路構成部材と、ボイスコイル、ダイヤフラム状の振動板などを有してなる。磁気回路構成部材で構成された磁気ギャップ内に配置されているボイスコイルを音声信号で駆動すると、電磁気力でボイスコイルが振動し、ボイスコイルが固着された振動板が振動して音声を出力するようになっている。中低音域の音響特性を高めるために、ハウジング１は、使用者の耳甲介内に挿入することができ、かつ、なるべく大きな外径で製作され、イヤホンドライバー２も、ハウジング１に内蔵することができる最大限の外径で製作される。
【００２３】
イヤホンドライバー２は、放音面すなわち振動板の前面が、ハウジング１の前面である前側ハウジング１１の前面と平行になるように、前側ハウジング１１の前面に正対させてハウジング１内に内蔵されている。ハウジング１の前面側からは音導管３（図２参照）が前方に向かって延び出ている。ハウジング１への音導管３の取り付け構造および音導管３の構成は以下のとおりである。前側ハウジング１１の前面の中心からずれた位置に音導管連結部１５が一体成形により形成されている。音導管連結部１５は、ハウジング１本体の内部空間に通じる円筒状の空洞１６を有する短い管状に形成されていて、その中心軸線Ｏ２はハウジングの前面中心に直交する方向の中心軸線Ｏ１に対し傾斜した方向に延びている。音導管連結部１５に音導管３が連結されている。音導管３は、上記音導管連結部１５の空洞１６を介してハウジング１の内部空間と連通する内径部を有し、長さ方向基端部にハウジング１との連結部３２を、先端部外周に後述のイヤーピース４を装着するための周溝３３を有し、長さ方向の中間部分に屈曲部３５を有することによりブーメラン形に形成されている。
【００２４】
上記イヤーピース４は、ほぼ球体の相対向する端部を切り落としたような、外観全体としてはビヤ樽の形をしている。イヤーピース４は、柔軟性のある例えば合成樹脂などの素材から全体にわたり薄く製作されていて、容易に変形することができる。イヤーピース４の先端部は内周側に折り返された形になっていて、音導管３の先端部の外径よりも内径の小さい円筒４２が形成され、この円筒４２の内径側には、音響管３の前記周溝３３に嵌まる突条４１が全周にわたり形成されている。イヤーピース４は、上記円筒部４２をその弾性により多少拡張しながら音導管３の先端部外周に嵌め、音導管３の外周に沿ってずらすことによって、音導管３の周溝３３にイヤーピース４の突条４１を嵌めることができる。こうしてイヤーピース４が音導管３に装着されると、イヤーピース４は音導管３の全体および前側ハウジング１の音導管連結部１５の一部を覆い隠す。なお、ハウジング１の下端からはイヤホンドライバー２に音声信号を入力するためのワイヤを引き通すブッシュ１３が下方に向かって延び出ている。
【００２５】
図１乃至図３に示すイヤホンは右耳用のイヤホンで、図４に示すように、イヤーピース４で先導しながら音導管３を外耳道２６に挿入し、ハウジング１の前面が耳甲介２５の壁面に当たるまで音導管３を押し込む。柔軟性のあるイヤーピース４は周囲から押されながら外耳道２６内に進入し、外耳道２６の周壁に密着する。
【００２６】
図４は、本実施例に係るイヤホンを右の耳に装着している状態を、水平面で切断した状態で示している。図２はこの断面におけるイヤホンの拡大図である。図４において左側が使用者の前面側である。この水平切断面を基準面としたとき、この基準面内において、音導管３の基端部の中心軸線Ｏ２は、ハウジング１の前面中心に対し角度θ１だけ傾斜して延び出ている。角度θ１は例えば３０〜６０°程度に設定される。音導管３の基端部の伸び出し方向に対し、音導管３の先端部は、水平面内においてハウジングの前面に直交する方向の線に対する傾き角度θ２が小さくなるように、屈曲部３５において屈曲している。つまり、θ２＜θ１の関係になっている。角度θ２は０〜５０°の範囲に設定することができるが、θ２＜θ１の関係は常に保たれるようにする。したがって、音導管３の先端部の中心軸線Ｏ３と音導管３の基端部の中心軸線Ｏ２との間には常に角度差θ３が生じている。角度θ２が０°ということは、音導管３の先端部の中心軸線Ｏ３がハウジング１の前面中心に直交する方向の中心軸線Ｏ１と平行であるということである。
【００２７】
本実施例においては、前述のとおり、イヤホンドライバー２は、その前面をハウジング１の前面に正対させてハウジング１に内蔵している。したがって、ハウジングの前面に直交する方向の線は、イヤホンドライバー２の前面に直交する方向の線でもある。イヤホンドライバー２の前面をハウジング１の前面に対し意図的に傾けて配置することもあり得るので、音導管３の傾きを決める基準をハウジング１の前面においた。人の外耳道の平均的な形状に合わせて、音響管３の基端部の長さＬ（図２参照）は３〜８ｍｍの範囲に設定するとよい。
【００２８】
以上説明した実施例によれば、外耳道の入口は耳甲介の中心位置から偏った位置にあることを考慮して、イヤホンドライバー２を内蔵しているハウジング１の中心位置からずれた位置から音導管を延び出させたため、ハウジング１およびイヤホンドライバー２を大径化しながら音導管３を耳甲介に挿入することができる。したがって、中低音域の音響特性を改善することができる。
【００２９】
また、音導管３は単に直線的に延び出させるのではなく、長さ方向に途中に屈曲部３５を設けて、ハウジング１の前面に直交する方向の線に対する傾き角度が小さくなるようにブーメラン状に屈曲させた。この屈曲した形は、人の外耳道を水平面内において切断した断面形状に適合しているので、音導管３を外耳道に深く挿入することができ、使用者の耳からイヤホンが脱落しにくく安定に保持される利点がある。また、音導管３の外周には柔軟性のあるイヤーピース４が装着されていて、このイヤーピース４が外耳道の内周壁に密着するため、密着性および遮音性を高めることもできる。イヤーピース４を設けることにより、外耳道の大きさや形、屈曲部までの長さないしは深さ、左右の耳でのばらつきなどにも柔軟に対応することができる。
【００３０】
この実施例によれば、例えば直径１２．５ｍｍというような大きなイヤホンドライバーを用いて低域の音響特性を改善しながら、耳に装着しやすく、装着後は密着度が高く脱落しにくいイヤホンを得ることができる。
なお、図１乃至図４に示す例は、右耳用のイヤホンであり、左耳用のイヤホンは図示の形状に対し左右対称の形に製作される。
【実施例２】
【００３１】
図５に第２の実施例を示す。この実施例は、音導管３０の長さ方向の途中に、前記屈曲部の変形例として、蛇腹構造部３０１を設けた実施例である。音導管３０の素材としてある程度柔軟性のある樹脂材などを用い、長さ方向の途中に蛇腹構造部３０１を設けることにより、この蛇腹構造部３０１を屈曲部として任意の方向に屈曲することができるようになっている。蛇腹構造部３０１を境とした音響管３０の先端部の屈曲方向は、音響管３０の基端部の中心軸線方向に対し、ハウジング１の前面に直交する方向の中心線に対する傾き角度が小さくなるように予め屈曲されてこれを基準角度とし、この基準角度を中心として先端側音導管をある角度範囲で任意に調整できるようにするとよい。音導管３０の基端部が前側ハウジング１１の前面の中心位置からずれた位置に連結され、音導管３０の先端側に図示されないイヤーピースが装着される。
【００３２】
この実施例によれば、使用者の左右の耳の形状や大きさなどにばらつきがあり、あるいは使用者の左右の耳ごとに形状や大きさなどにばらつきがあっても、蛇腹構造部３０１の屈曲度を微調整することにより、これらのばらつきに対応させることができる。
【実施例３】
【００３３】
図６に第３の実施例を示す。この実施例は、音導管を、基端側音導管３６と先端側音導管３７に長さ方向に二分し、基端側音導管３６をプラスチックなどの比較的硬い材質で作り、先端側音導管３７をエラストマーなどの比較的柔軟性のある材質で作ったものである。そして、基端側音導管３６と先端側音導管３７の接続部を屈曲部としている。基端側音導管３６は、前側ハウジング１１の前面の中心位置からずれた位置から、かつ、前側ハウジング１１の前面中心に対し傾斜させて延び出させている。また、先端側音導管３７は、上記接続部から前側ハウジング１１の前面に直交する方向の中心線に対する傾き角度が小さくなるように屈曲している。先端側音導管３７の先端には図示されないイヤーピースが装着される。
【００３４】
図６に示す実施例によれば、先端側音導管３７に柔軟性を持たせているため、外耳道の形状や大きさなどの個人差あるいは左右の耳のばらつきなどに対応して、先端側音導管３７が変形し、イヤホンを使用している状態での密着感、安定感を高めることができる。
【実施例４】
【００３５】
図７に第４の実施例を示す。この実施例は、音導管の太さを、屈曲部を境にして基端側と先端側とで異ならせたものである。図７において、音響管３８は全体を樹脂などの一体成形によって製作するとともに、屈曲部３８１を境にして先端側音響管３８２の外径および内径を、基端側音響管の外径および内径よりも小さくしたものである。その他の構成および基端側音響管と先端側音響管３８２の角度条件などは他の実施例の構成と同じである。また、先端側音響管３８２は基部より先端部が細くなる円錐構造でもよい。
一般的に、人の耳の外耳道は、奥側が狭まっているので、この実施例によれば、音響管３８が外耳道に良好に密着する。
【産業上の利用可能性】
【００３６】
本発明に係るイヤホンは、耳挿入型の密閉イヤホンすなわちカナル型のイヤホンであれば、どのような形式のイヤホンにも適用可能である。例えば、楽音信号によって駆動される一般的なイヤホンはもちろん、パッシブタイプあるいはアクティブタイプのノイズキャンセルイヤホンにも適用可能である。また、補聴機能を兼ねたイヤホンとすることも可能である。
【符号の説明】
【００３７】
１    ハウジング
２    イヤホンドライバー
３    音導管
４    イヤーピース
１１    前側ハウジング
１２    後ろ側ハウジング
２５    耳甲介
２６    外耳道
３５    屈曲部
３０１    蛇腹構造部
【図１】
2011009909.tif 000003
【図２】
2011009909.tif 000004
【図３】
2011009909.tif 000005
【図４】
2011009909.tif 000006
【図５】
2011009909.tif 000007
【図６】
2011009909.tif 000008
【図７】
2011009909.tif 000009
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
イヤホンドライバーを内蔵し、音導管を連結するための音導管連結部を有するハウジングと、ハウジングから延び出た音導管と、音導管の先端部に取り付けられ上記音響管連結部の一部を覆い隠すイヤーピースと、を備え、
上記イヤホンドライバーはその放音面がハウジングの前面に正対して内蔵され、
上記音導管は、その中心軸線が上記ハウジングの前面中心からずれた位置からかつ上記ハウジングの前面中心に対し使用態様を基準姿勢とするとき水平面内において傾斜して延び出るとともに、途中から上記ハウジングの前面に直交する方向の線に対する傾き角度が小さくなるように屈曲し、また、その中心軸線が上記イヤホンドライバーの前面中心からずれた位置からかつ上記イヤホンドライバーの前面中心に対し使用態様を基準姿勢とするとき水平面内において傾斜して延び出るとともに、途中から上記イヤホンドライバーの中心軸線に対する傾き角度が小さくなることで、音導管の先端が外耳道の壁面で塞がることなく、人の外耳道を水平面内において切断した断面形状に適合するようにブーメラン状に屈曲しているイヤホン。
【請求項２】
音導管の屈曲部は、ハウジングに音導管が接する位置から３〜８ｍｍの範囲にある請求項１記載のイヤホン。
【請求項３】
音導管の屈曲部より先端側は、ハウジングの前面に直交する方向の線に対する傾き角度が０〜５０°である請求項１又は２記載のイヤホン。
【請求項４】
音導管の屈曲部は蛇腹構造になっていて、この蛇腹構造部において基端側音導管と先端側音導管のなす角度を変更可能である請求項１記載のイヤホン。
【請求項５】
音導管は、基端側音導管とこの基端側音導管に接合された先端側音導管を有してなり、基端側音導管と先端側音導管の接合部が屈曲部になっている請求項１記載のイヤホン。
【請求項６】
基端側音導管は硬い素材からなり、先端側音導管は柔軟性のある素材からなる請求項５記載のイヤホン。
【請求項７】
基端側音導管の外径よりも先端側音導管の外径が小さい請求項５又は６記載のイヤホン。
【手続補正２】
【補正対象書類名】明細書
【補正対象項目名】００１５
【補正方法】変更
【補正の内容】
【００１５】
本発明は、以上説明した従来技術の問題点を解消すること、すなわち、良好な中低音域の音響特性を確保するために比較的大径のイヤホンドライバーを用いることを可能にしながら、使用状態における外耳道への音響管の密着性、安定した装着性を得ることができ、また、音導管の先端が外耳道の壁面などで塞がれることがないようにしたイヤホンを提供することを目的とする。
【手続補正３】
【補正対象書類名】明細書
【補正対象項目名】００１６
【補正方法】変更
【補正の内容】
【００１６】
本発明に係るイヤホンは、イヤホンドライバーを内蔵し、音導管を連結するための音導管連結部を有するハウジングと、ハウジングから延び出た音導管と、音導管の先端部に取り付けられ音響管連結部の一部を覆い隠すイヤーピースと、を備え、イヤホンドライバーはその放音面がハウジングの前面に正対して内蔵され、音導管は、その中心軸線が上記ハウジングの前面中心からずれた位置からかつハウジングの前面中心に対し使用態様を基準姿勢とするとき水平面内において傾斜して延び出るとともに、途中からハウジングの前面に直交する方向の線に対する傾き角度が小さくなるように屈曲し、また、その中心軸線がイヤホンドライバーの前面中心からずれた位置からかつイヤホンドライバーの前面中心に対し使用態様を基準姿勢とするとき水平面内において傾斜して延び出るとともに、途中からイヤホンドライバーの中心軸線に対する傾き角度が小さくなることで、音導管の先端が外耳道の壁面で塞がることなく、人の外耳道を水平面内において切断した断面形状に適合するようにブーメラン状に屈曲していることを最も主要な特徴とする。
【手続補正４】
【補正対象書類名】明細書
【補正対象項目名】００１７
【補正方法】削除
【補正の内容】